(57)【特許請求の範囲】
【請求項１】
複数の操作キーの押下状態をそれぞれ検出するキー入力装置であって、
複数本の第１スキャン信号線と、
複数本の第２スキャン信号線と、
複数本のキー検出信号線と、
位相が互いに異なるパルスが周期的に現れる複数の第１スキャン信号によって複数本の前記第１スキャン信号線を１本１本順次駆動すると共に、位相が互いに異なるパルスが周期的に現れる複数の第２スキャン信号によって複数本の前記第２スキャン信号線を１本１本順次駆動するキー入力制御手段とを具備し、
前記操作キーは、複数本の前記第１スキャン信号線のいずれかが接続される第１の端子と、複数本の前記第２スキャン信号線のいずれかが接続される第２の端子と、複数本の前記キー検出信号線のいずれかが接続される第３の端子とを有し、前記第１の端子と前記第２の端子と前記第３の端子との接続を一括してオンオフするスイッチであり、複数の前記操作キーの前記第１の端子と前記第２の端子と前記第３の端子とには、前記第１スキャン信号線と前記第２スキャン信号線と前記キー検出信号線がそれぞれ異なる組み合わせで接続されていることを特徴とするキー入力装置。
【請求項２】
前記操作キーの前記第１の端子と前記第１スキャン信号線とは第１のスイッチ抵抗を介して接続されていると共に、前記操作キーの前記第２の端子と前記第２スキャン信号線とは第２のスイッチ抵抗を介して接続され、
前記キー検出信号線には、前記第１のスイッチ抵抗及び前記第２のスイッチ抵抗の抵抗値に比べて高い抵抗値のプルアップ抵抗が直流電源との間に接続されていることを特徴と
する請求項１記載のキー入力装置。
【請求項３】
前記第１のスイッチ抵抗と前記第２のスイッチ抵抗とは同一の抵抗値であることを特徴とする請求項２記載のキー入力装置。
【請求項４】
前記第２スキャン信号のパルス幅は、前記第１スキャン信号のパルス幅に対して、１／（第２スキャン信号線の本数）に設定されていることを特徴とする請求項１記載のキー入力装置。
【発明の詳細な説明】
【技術分野】
【０００１】
本発明は、操作キーがマトリクス状に配置されたキー入力装置に関する。
【背景技術】
【０００２】
複写機、ファクシミリ装置、複合機等の情報機器には、多数の操作キーを搭載した操作部が用いられている。そして、操作部に搭載された多数の操作キーの押下状態を検出するために、スキャンマトリクス方式のキー入力装置が採用されている（例えば、特許文献１参照）。
【０００３】
スキャンマトリックス方式のキー入力装置は、マトリクス状に組まれた複数のスキャン信号線と複数のキー検出信号線との交点状に操作キーが配置されている。位相の異なるパルスが周期的に現れるスキャン信号によってスキャン信号線を１本１本順次駆動し、その都度それぞれのキー検出信号線から出力されるキー検出信号の出力レベルを判定することによりそれぞれの操作キーの押下状態を判定するように構成されている。
【０００４】
図８には、３本のスキャン信号線１１と３本のキー検出信号線１２とがマトリクス状に組まれ、９個の操作キーＫ２１〜Ｋ２９が配置されたキー入力装置が示されている。そして、図９に示すように、位相の異なるパルスが周期的に現れるスキャン信号ＳＣＡＮ＿１〜ＳＣＡＮ＿３によってスキャン信号線１１を１本１本順次駆動し、その都度それぞれのキー検出信号線１２から出力されるキー検出信号ＫＥＹ＿１〜ＫＥＹ＿３の出力レベルを判定することで、９個の操作キーＫ２１〜Ｋ２９の押下状態を判定することができる。なお、図５に示すＶｃｃは正電圧の直流電源であり、スキャン信号ＳＣＡＮ＿１〜ＳＣＡＮ＿３は選択駆動状態においてＬｏｗレベルである。従って、キー検出信号ＫＥＹ＿１〜ＫＥＹ＿３は、Ｌｏｗレベルで押下状態と判定される。
【先行技術文献】
【特許文献】
【０００５】
【特許文献１】特開２００４−６３１４３号公報
【発明の概要】
【発明が解決しようとする課題】
【０００６】
従来のスキャンマトリクス方式のキー入力装置では、スキャン信号線１１の本数とキー検出信号線１２の本数との積が検出できる操作キーの最大個数となり、スキャン信号線１１の本数とキー検出信号線１２の本数との和が制御信号線の合計本数となる。従って、操作キーのそれぞれに制御信号線を設ける場合に比べ、制御信号線の合計本数を少なくすることできるが、
しかしながら、スキャンマトリクス方式を採用しても、操作キーの個数がさらに多数になると、操作キーの個数に応じて、制御信号線の合計本数も多くなり、制御信号線のさらなる削減が要望されている。
【０００７】
本発明の目的は、上記問題点に鑑み、従来技術の問題を解決し、操作キーの押下状態の検出に必要な制御信号線の合計本数をさらに削減することができるキー入力装置を提供することにある。
【課題を解決するための手段】
【０００８】
本発明のキー入力装置は、複数の操作キーの押下状態をそれぞれ検出するキー入力装置であって、複数本の第１スキャン信号線と、複数本の第２スキャン信号線と、複数本のキー検出信号線と、位相が互いに異なるパルスが周期的に現れる複数の第１スキャン信号によって複数本の前記第１スキャン信号線を１本１本順次駆動すると共に、位相が互いに異なるパルスが周期的に現れる複数の第２スキャン信号によって複数本の前記第２スキャン信号線を１本１本順次駆動するキー入力制御手段とを具備し、前記操作キーは、複数本の前記第１スキャン信号線のいずれかが接続される第１の端子と、複数本の前記第２スキャン信号線のいずれかが接続される第２の端子と、複数本の前記キー検出信号線のいずれかが接続される第３の端子とを有し、前記第１の端子と前記第２の端子と前記第３の端子との接続を一括してオンオフするスイッチであり、複数の前記操作キーの前記第１の端子と前記第２の端子と前記第３の端子とには、前記第１スキャン信号線と前記第２スキャン信号線と前記キー検出信号線がそれぞれ異なる組み合わせで接続されていることを特徴とする。
さらに、本発明のキー入力装置において、前記操作キーの前記第１の端子と前記第１スキャン信号線とは第１のスイッチ抵抗を介して接続されていると共に、前記操作キーの前記第２の端子と前記第２スキャン信号線とは第２のスイッチ抵抗を介して接続され、前記キー検出信号線には、前記第１のスイッチ抵抗及び前記第２のスイッチ抵抗の抵抗値に比べて高い抵抗値のプルアップ抵抗が直流電源との間に接続されていても良い。
さらに、本発明のキー入力装置において、前記第１のスイッチ抵抗と前記第２のスイッチ抵抗とは同一の抵抗値であっても良い。
さらに、本発明のキー入力装置において、前記第２スキャン信号のパルス幅は、前記第１スキャン信号のパルス幅に対して、１／（第２スキャン信号線の本数）に設定されていても良い。
【発明の効果】
【０００９】
本発明によれば、第１スキャン信号線の本数と、第２スキャン信号線の本数と、キー検出信号線の本数とを乗算した個数の操作キーの押下状態をそれぞれ検出することができ、操作キーの押下状態の検出に必要な制御信号線の合計本数をさらに削減することができるという効果を奏する。
【図面の簡単な説明】
【００１０】
【図１】本発明に係るキー入力装置の実施の形態の構成を示す回路図である。
【図２】本発明に係るキー入力装置の実施の形態における操作キーの押下状態検出動作を示すタイミングチャートである。
【図３】本発明に係るキー入力装置の実施の形態における操作キーの押下状態検出動作を示す操作キー割り当て表である。
【図４】図１に示す操作キーＫ４が選択駆動状態で押下されている状態の等価回路図である。
【図５】図１に示す操作キーＫ４が選択駆動状態で押下されていない状態の等価回路図である。
【図６】図１に示す操作キーＫ４が選択駆動状態で他の操作キーが押下されている状態の等価回路図である。
【図７】図１に示す操作キーＫ４が選択駆動状態で他の操作キーが押下されている状態の等価回路図である。
【図８】従来のキー入力装置の構成を示す回路図である。
【図９】図８に示すキー入力装置における操作キーの押下状態検出動作を示すタイミングチャートである。
【発明を実施するための形態】
【００１１】
次に、本発明の実施の形態を、図面を参照して具体的に説明する。
本実施の形態のキー入力装置１は、図１を参照すると、３本の第１スキャン信号線２と、３本の第２スキャン信号線３と、３本のキー検出信号線４と、２７個の操作キーＫ１〜Ｋ２７と、第１スキャン信号ＳＣＡＮ＿α〜ＳＣＡＮ＿γによって第１スキャン信号線２を駆動すると共に、第２スキャン信号ＳＣＡＮ＿ａ〜ＳＣＡＮ＿ｃによって第２スキャン信号線３を駆動し、キー検出信号線４から出力されるキー検出信号ＫＥＹ＿ａ〜ＫＥＹ＿ｃの出力レベルを判定することで、２７個の操作キーＫ１〜Ｋ２７の押下状態を検出する入力制御部５とを備えている。
【００１２】
操作キーＫ１〜Ｋ２７は、３本の第１スキャン信号線２のいずれかが接続される第１の端子と、３本の第２スキャン信号線３のいずれかが接続される第２の端子と、３本のキー検出信号線４のいずれかが接続される第３の端子とを有し、押下によって第１の端子と第２の端子と第３の端子とが一括して接続されるノーマリーオープン型のスイッチである。そして、操作キーＫ１〜Ｋ２７の各端子には、３本の第１スキャン信号線２と、３本の第２スキャン信号線３と、３本のキー検出信号線４とがそれぞれ異なる組み合わせで接続されている。すなわち、第１スキャン信号線２、第２スキャン信号線３及びキー検出信号線４は、各々３本であり、３＊３＊３＝２７通りの異なる組み合わせに対応した２７個の操作キーＫ１〜Ｋ２７が設けられている。また、第１スキャン信号線２と操作キーＫ１〜Ｋ２７の第１の端子とは、スイッチ抵抗Ｒ１を介してそれぞれ接続されていると共に、第２スキャン信号線３と操作キーＫ１〜Ｋ２７の第２の端子とは、スイッチ抵抗Ｒ２を介してそれぞれ接続されている。さらに、キー検出信号線４には、正電圧の直流電源Ｖｃｃとの間にプルアップ抵抗Ｒ３が接続されている。なお、プルアップ抵抗Ｒ３の抵抗値は、スイッチ抵抗Ｒ１及びスイッチ抵抗Ｒ２の抵抗値に比べて十分に高い値に設定されている。
【００１３】
入力制御部５は、３本の第１スキャン信号線２に第１スキャン信号ＳＣＡＮ＿α〜ＳＣＡＮ＿γをそれぞれ出力する出力ポートと、３本の第２スキャン信号線３に第１スキャン信号ＳＣＡＮ＿ａ〜ＳＣＡＮ＿ｃをそれぞれ出力する出力ポートと、３本のキー検出信号線４からキー検出信号ＫＥＹ＿ａ〜ＫＥＹ＿ｃが入力される入力ポートとを備えたマイクロプロセッサである。入力制御部５は、図２に示すように、位相の異なるパルス（パルス幅＝３Ｔ）が周期的に現れる第１スキャン信号ＳＣＡＮ＿α〜ＳＣＡＮ＿γによって３本の第１スキャン信号線２を１本１本順次駆動すると共に、位相の異なるパルス（パルス幅＝Ｔが第１スキャン信号ＳＣＡＮ＿α〜ＳＣＡＮ＿γのパルス幅の１／３）が周期的に現れる第２スキャン信号ＳＣＡＮ＿ａ〜ＳＣＡＮ＿ｃによって３本の第１スキャン信号線２を１本１本順次駆動する。なお、第１スキャン信号ＳＣＡＮ＿α〜ＳＣＡＮ＿γ及び第２スキャン信号ＳＣＡＮ＿ａ〜ＳＣＡＮ＿ｃは駆動状態においてＬｏｗレベルである。図２に示すように、操作キーＫ１〜Ｋ２７の内の３個が同じタイミングで、第１スキャン信号ＳＣＡＮ＿α〜ＳＣＡＮ＿γと、第２スキャン信号ＳＣＡＮ＿ａ〜ＳＣＡＮ＿ｃとのいずれもが駆動された選択駆動状態となり、期間：９Ｔで全ての操作キーＫ１〜Ｋ２７が順次選択駆動状態となる。
【００１４】
そして、入力制御部５は、図２及び図３に示すように、第１スキャン信号ＳＣＡＮ＿α〜ＳＣＡＮ＿γと、第２スキャン信号ＳＣＡＮ＿ａ〜ＳＣＡＮ＿ｃとのいずれもが駆動され、選択駆動状態の操作キーＫ１〜Ｋ２７に接続されたキー検出信号線４から出力されるキー検出信号ＫＥＹ＿ａ〜ＫＥＹ＿ｃの出力レベルを判定する。図３は、操作キーＫ１〜Ｋ２７の押下状態検出動作を示す操作キー割り当て表である。図３を参照すると、例えば、第１スキャン信号ＳＣＡＮ＿αと第２スキャン信号ＳＣＡＮ＿ａとがのいずれもが駆動状態で、操作キーＫ１、Ｋ２、Ｋ３が選択駆動状態となり、入力制御部５は、キー検出信号ＫＥＹ＿ａ〜ＫＥＹ＿ｃの出力レベルを判定して、操作キーＫ１、Ｋ２、Ｋ３の押下状態がそれぞれ検出する。
【００１５】
図４には、第１スキャン信号ＳＣＡＮ＿αと、第２スキャン信号ＳＣＡＮ＿ｂとのいずれもが駆動（Ｌｏｗレベル）され、選択駆動状態である操作キーＫ４が押下されている状態の等価回路図が示されている。図４に示す状態では、スイッチ抵抗Ｒ１とスイッチ抵抗Ｒ２との並列回路の合成抵抗値をＲ１２とし、プルアップ抵抗Ｒ３の抵抗値をＲ３とすると、操作キーＫ４に接続されているキー検出信号線４から出力されるキー検出信号ＫＥＹ＿ｂの出力レベルは、｛Ｒ１２／（Ｒ１２＋Ｒ３）｝・Ｖｃｃとなる。ここで、プルアップ抵抗Ｒ３の抵抗値Ｒ３（例えば１０ｋΩ）は、スイッチ抵抗Ｒ１の抵抗値Ｒ１（例えば１００Ω）及びスイッチ抵抗Ｒ２の抵抗値Ｒ２（例えば１００Ω）に比べて十分に高い値に設定されているため、キー検出信号ＫＥＹ＿ｂの出力レベルは、Ｌｏｗレベルとなり、入力制御部５は、操作キーＫ４の押下状態をオン（ＯＮ）であると検出することができる。換言するならば、｛Ｒ１２／（Ｒ１２＋Ｒ３）｝・Ｖｃｃを入力制御部５がＬｏｗレベルとして判定することができるように、スイッチ抵抗Ｒ１の抵抗値Ｒ１とスイッチ抵抗Ｒ２の抵抗値Ｒ２とプルアップ抵抗Ｒ３の抵抗値Ｒ３とが設定されていることになる。
【００１６】
図５には、第１スキャン信号ＳＣＡＮ＿αと、第２スキャン信号ＳＣＡＮ＿ｂとのいずれもが駆動（Ｌｏｗレベル）され、選択駆動状態である操作キーＫ４が、押下されておらずオフ（ＯＦＦ）されている状態の等価回路図が示されている。図５に示す状態では、操作キーＫ４に接続されているキー検出信号線４から出力されるキー検出信号ＫＥＹ＿ｂの出力レベルは、Ｖｃｃで、Ｈｉレベルとなり、入力制御部５は、操作キーＫ４の押下状態をオフであると検出することができる。
【００１７】
図４及び図５に示すように、操作キーＫ４と同様にキー検出信号ＫＥＹ＿ｂを出力するキー検出信号線４には、他の操作キーが接続されているが、本実施の形態では、スイッチ抵抗Ｒ１とスイッチ抵抗Ｒ２とプルアップ抵抗Ｒ３とを設けることで、選択駆動状態である操作キーＫ４以外の他の操作キーの誤検出を防止している。
【００１８】
図６には、第１スキャン信号ＳＣＡＮ＿αと、第２スキャン信号ＳＣＡＮ＿ｂとのいずれもが駆動（Ｌｏｗレベル）され、選択駆動状態である操作キーＫ４が押下されず、第１スキャン信号ＳＣＡＮ＿αのみが駆動状態（Ｌｏｗレベル）である操作キーＫ１、Ｋ７が押下された状態の等価回路図が示されている。図６に示す状態では、スイッチ抵抗Ｒ２とプルアップ抵抗Ｒ３との並列回路の合成抵抗値をＲ２３とすると、キー検出信号ＫＥＹ＿ｂの出力レベルは、｛Ｒ１／（Ｒ１＋Ｒ２３）｝・Ｖｃｃとなる。ここで、プルアップ抵抗Ｒ３の抵抗値Ｒ３（例えば１０ｋΩ）は、スイッチ抵抗Ｒ２の抵抗値Ｒ２（例えば１００Ω）に比べて十分に高い値に設定されているため、キー検出信号ＫＥＹ＿ｂの出力レベルは、スイッチ抵抗Ｒ１とスイッチ抵抗Ｒ２との分圧値となり、スイッチ抵抗Ｒ１の抵抗値Ｒ１＝スイッチ抵抗Ｒ２の抵抗値Ｒ２に設定しておくことで、直流電源Ｖｃｃの中間電位（Ｍｉｄｄｌｅレベル）となり、入力制御部５は、操作キーＫ４の押下状態をオフであると検出することができる。
【００１９】
また、図７には、第１スキャン信号ＳＣＡＮ＿αと、第２スキャン信号ＳＣＡＮ＿ｂとのいずれもが駆動（Ｌｏｗレベル）され、選択駆動状態である操作キーＫ４が押下されず、第２スキャン信号ＳＣＡＮ＿ｂのみが駆動状態（Ｌｏｗレベル）である操作キーＫ１３、Ｋ２２が押下された状態の等価回路図が示されている。図７に示す状態では、スイッチ抵抗Ｒ１とプルアップ抵抗Ｒ３との並列回路の合成抵抗値をＲ１３とすると、キー検出信号ＫＥＹ＿ｂの出力レベルは、｛Ｒ２／（Ｒ２＋Ｒ１３）｝・Ｖｃｃとなる。ここで、プルアップ抵抗Ｒ３の抵抗値Ｒ３（例えば１０ｋΩ）は、スイッチ抵抗１の抵抗値Ｒ１（例えば１００Ω）に比べて十分に高い値に設定されているため、キー検出信号ＫＥＹ＿ｂの出力レベルは、スイッチ抵抗Ｒ１とスイッチ抵抗Ｒ２との分圧値となり、スイッチ抵抗Ｒ１の抵抗値Ｒ１＝スイッチ抵抗Ｒ２の抵抗値Ｒ２に設定しておくことで、直流電源Ｖｃｃの中間電位（Ｍｉｄｄｌｅレベル）となり、入力制御部５は、操作キーＫ４の押下状態をオフであると検出することができる。
【００２０】
なお、第１スキャン信号ＳＣＡＮ＿αと、第２スキャン信号ＳＣＡＮ＿ｂとのいずれもが駆動（Ｌｏｗレベル）され、選択駆動状態である操作キーＫ４が押下されず、第１スキャン信号ＳＣＡＮ＿β、ＳＣＡＮ＿γと第２スキャン信号ＳＣＡＮ＿ａ、ＳＣＡＮ＿ｃとのいずれもが駆動（Ｌｏｗレベル）されておらず、選択駆動状態にない操作キーＫ１０、Ｋ１９、Ｋ１６、Ｋ２５が押下された場合には、キー検出信号ＫＥＹ＿ｂの出力レベルは、Ｖｃｃで、Ｈｉレベルとなり、入力制御部５は、操作キーＫ４の押下状態をオフであると検出することができる。
【００２１】
なお、本実施の形態では、第１スキャン信号線２、第２スキャン信号線３及びキー検出信号線４は、各々３本であり、３＊３＊３＝２７通りの異なる組み合わせに対応した２７個の操作キーＫ１〜Ｋ２７が設けられている例について説明したが、第１スキャン信号線２、第２スキャン信号線３及びキー検出信号線４のそれぞれの本数には、限定がなく任意の本数に設定することができる。第１スキャン信号線２の本数をｌ、第２スキャン信号線３の本数をｍ、キー検出信号線４の本数をｎとそれぞれすると、異なる組み合わせはｌ＊ｍ＊ｎ通りになり、ｌ＊ｍ＊ｎ個の操作キーの押下状態を検出することができる。
【００２２】
以上説明したように、本実施の形態においては、複数の操作キーＫ１〜Ｋ２７の押下状態をそれぞれ検出するキー入力装置１であって、複数本の第１スキャン信号線２と、複数本の第２スキャン信号線３と、複数本のキー検出信号線４と、位相の異なるパルスが周期的に現れる第１スキャン信号ＳＣＡＮ＿α〜ＳＣＡＮ＿γによって複数本の第１スキャン信号線２を１本１本順次駆動すると共に、位相の異なるパルスが周期的に現れる第２スキャン信号ＳＣＡＮ＿ａ〜ＳＣＡＮ＿ｃによって複数本の前記第２スキャン信号線４を１本１本順次駆動するキー入力制御部５とを備え、操作キーＫ１〜Ｋ２７は、複数本の第１スキャン信号線２のいずれかが接続される第１の端子と、複数本の第２スキャン信号線３のいずれかが接続される第２の端子と、複数本のキー検出信号線４のいずれかが接続される第３の端子とを有し、第１の端子と第２の端子と第３の端子との接続を一括してオンオフするスイッチであり、複数の操作キーＫ１〜Ｋ２７の第１の端子と第２の端子と第３の端子とには、第１スキャン信号線２と第２スキャン信号線３とキー検出信号線４がそれぞれ異なる組み合わせで接続されている。
この構成により、第１スキャン信号線２の本数ｌと、第２スキャン信号線３の本数ｍと、キー検出信号線４の本数ｎとを乗算した個数（ｌ＊ｍ＊ｎ）の操作キーＫ１〜Ｋ２７の押下状態をそれぞれ検出することができ、操作キーＫ１〜Ｋ２７の押下状態の検出に必要な制御信号線の合計本数をさらに削減することができる。例えば、本実施の形態のように、操作キーＫ１〜Ｋ２７が２７個の場合には、第１スキャン信号線２、第２スキャン信号線３及びキー検出信号線４は各々３本で、必要な制御信号線の合計本数は９本となるのに対し、従来技術では、最低でも５＊６もしくは４＊７の１１本の制御信号線が必要になってしまう。
【００２３】
さらに、本実施の形態においては、操作キーＫ１〜Ｋ２７の第１の端子と第１スキャン信号線２とはスイッチ抵抗Ｒ１を介して接続されていると共に、操作キーＫ１〜Ｋ２７の第２の端子と第２スキャン信号線３とはスイッチ抵抗Ｒ２を介して接続され、キー検出信号線４には、スイッチ抵抗Ｒ１及びスイッチ抵抗Ｒ２の抵抗値に比べて高い抵抗値のプルアップ抵抗Ｒ３が直流電源Ｖｃｃとの間に接続されている。
この構成により、選択駆動状態である操作キーＫ１〜Ｋ２７が押下されず、第１スキャン信号ＳＣＡＮ＿α〜ＳＣＡＮ＿γもしくは第２スキャン信号ＳＣＡＮ＿ａ〜ＳＣＡＮ＿ｃのいずれかのみが駆動状態（Ｌｏｗレベル）である操作キーＫ１〜Ｋ２７が押下された状態でも、キー検出信号ＫＥＹ＿ａ〜ＫＥＹ＿ｃの出力レベルが直流電源Ｖｃｃの中間電位（Ｍｉｄｄｌｅレベル）となり、選択駆動状態である操作キーＫ１〜Ｋ２７の押下状態をオフであると検出することができるため、選択駆動状態である操作キーＫ１〜Ｋ２７以外の他の操作キーＫ１〜Ｋ２７の誤検出を防止することができる。
【００２４】
さらに、本実施の形態においては、スイッチ抵抗Ｒ１とスイッチ抵抗Ｒ２とは同一の抵抗値に設定されている。
この構成により、第１スキャン信号ＳＣＡＮ＿α〜ＳＣＡＮ＿γもしくは第２スキャン信号ＳＣＡＮ＿ａ〜ＳＣＡＮ＿ｃのいずれかのみが駆動状態（Ｌｏｗレベル）である操作キーＫ１〜Ｋ２７が押下された状態で、第１スキャン信号ＳＣＡＮ＿α〜ＳＣＡＮ＿γと第２スキャン信号ＳＣＡＮ＿ａ〜ＳＣＡＮ＿ｃとのいずれが駆動状態（Ｌｏｗレベル）であっても、キー検出信号ＫＥＹ＿ａ〜ＫＥＹ＿ｃの出力レベルが同一の中間電位（Ｍｉｄｄｌｅレベル）となり、操作キーＫ１〜Ｋ２７の押下状態の検出を容易に行うことができる。
【００２５】
さらに、本実施の形態においては、第２スキャン信号ＳＣＡＮ＿ａ〜ＳＣＡＮ＿ｃのパルス幅は、第１スキャン信号ＳＣＡＮ＿α〜ＳＣＡＮ＿γのパルス幅に対して、１／（第２スキャン信号線３の本数）に設定されている。
この構成により、全てのＫ１〜Ｋ２７を効率良くスキャンすることができる。
【００２６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００２７】
１  キー入力装置
２  第１スキャン信号線
３  第２スキャン信号線
４  キー検出信号線
５  入力制御部
Ｋ１〜Ｋ２７  操作キー
ＳＣＡＮ＿α〜ＳＣＡＮ＿γ  第１スキャン信号
ＳＣＡＮ＿ａ〜ＳＣＡＮ＿ｃ  第２スキャン信号
ＫＥＹ＿ａ〜ＫＥＹ＿ｃ  キー検出信号
【図１】
0006292116.tif 000002
【図２】
0006292116.tif 000003
【図３】
0006292116.tif 000004
【図４】
0006292116.tif 000005
【図５】
0006292116.tif 000006
【図６】
0006292116.tif 000007
【図７】
0006292116.tif 000008
【図８】
0006292116.tif 000009
【図９】
0006292116.tif 000010